(57)【特許請求の範囲】
【請求項１】
光源を支持するとともに、枠状のグローブホルダを有する器具本体と；
この器具本体のグローブホルダに支持され、上記光源を覆い隠す合成樹脂製のグローブと；を具備し、
上記グローブホルダは、互いに向かい合う係合溝を有する一対の側枠部と、これら側枠部の端部間を連結する連結枠部と、を有し、上記グローブは、上記光源と向かい合う開口部と、この開口部の開口周縁に形成されて、上記側枠部の係合溝に挿入されるとともに、上記連結枠部と向かい合うフランジ状の係止部と、を有し、
上記グローブの係止部を上記グローブホルダの側枠部の端部の方向からこれら側枠部の係合溝に挿入し、この係止部を上記係合溝に引っ掛けた状態で上記側枠部の端部間を上記連結枠部を介して連結することにより、上記グローブを上記グローブホルダに取り付けるようにした照明器具であって、
上記グローブホルダの側枠部は、上記係合溝を構成して上記グローブの係止部と向かい合うフランジ部を有し、上記グローブホルダの連結枠部は、上記側枠部の内面と上記フランジ部の先端面とで規定される角部に臨む先端部と、この先端部から延出されて上記グローブの挿入方向に沿う外側から上記グローブの係止部と向かい合うストッパと、を有するとともに、この連結枠部に、上記グローブの係止部に密接する弾性変形が可能なシール材を取り付け、
上記シール材は、上記グローブホルダの側枠部の内面と上記連結枠部の先端部との間に介在される第１の延長部と、上記フランジ部の先端面と上記連結枠部の先端部との間に介在される第２の延長部とを一体に有することを特徴とする照明器具。
【発明の詳細な説明】
【０００１】
【発明の属する技術分野】
本発明は、器具本体に光源を覆い隠すグローブを取り付けた照明器具に関する。
【０００２】
【従来の技術】
例えば客室の天井に埋め込んで使用する照明器具において、光源としてのけい光ランプをグローブによって覆い隠すようにしたものが知られている。この種の照明器具は、天井に埋め込まれた器具本体を有している。器具本体は、下向きに開放された開口部を有する箱状をなしており、この器具本体にランプソケットを介してけい光ランプが支持されている。
【０００３】
器具本体の下端部には、ヒンジ金具を介してグローブホルダが回動可能に取り付けられている。グローブホルダは、器具本体の開口部を取り囲むような枠状をなしており、このグローブホルダに上記グローブが支持されている。そのため、グローブは、上記開口部と向かい合ってけい光ランプを覆い隠す閉じ位置と、上記けい光ランプを露出させる開き位置とに亘って開閉可能となっており、このグローブを開き位置に回動させることで、ランプ交換やグローブ内の清掃作業を行なえるようになっている。
【０００４】
ところで、上記グローブホルダは、一対の側枠部と、これら側枠部の両端部間を連結する一対の連結枠部とを有している。側枠部は、けい光ランプの管軸方向に延びており、これら側枠部の下端部には夫々係合溝が形成されている。係合溝は、側枠部の全長に亘っているとともに、この側枠部の両端に開放されている。
【０００５】
連結枠部は、側枠部に連なる両端にブラケット部を有している。ブラケット部は、側枠部の端部にねじを介して固定されており、このことにより、側枠部と連結枠部とが四角形状に枠組みされている。
【０００６】
このグローブホルダに支持されるグローブは、光透過性を有する合成樹脂材料にて構成されている。このグロ―ブは、上向きに開放された開口部を有する細長い偏平な箱状をなしている。このグローブの開口部の周縁には、フランジ状の係止部が形成されている。係止部は、開口部を取り囲むように周方向に連続して形成されているとともに、この開口部の外周囲に向けて略水平に張り出している。そして、グローブは、上記係止部を側枠部の係合溝に挿入することでグローブホルダに支持されるようになっており、このグローブの取り付け作業は、以下の手順によって行われる。
【０００７】
すなわち、まず、一方の連結枠部を側枠部の一端部から取り外しておき、グローブホルダの一端部を開放する。そして、側枠部の一端部の方向からグローブの係止部を係合溝に挿入し、この係止部を係合溝の上面に引っ掛ける。次に、側枠部の一端部間を連結枠部によって連結し、この連結枠部をグローブの係止部の上面と向かい合わせる。このことにより、グローブが側枠部の間に跨った姿勢で保持され、このグローブとグローブホルダとが一体化されるようになっている。
【０００８】
【発明が解決しようとする課題】
上記従来の照明器具のグローブは、開口部を取り囲む係止部を側枠部の係合溝に挿入することでグローブホルダと一体化されている。そのため、係止部の挿入作業を容易に行なうためには、係合溝の幅寸法を係止部の厚み寸法をよりも大き目に設定する必要がある。
【０００９】
しかしながら、この構成によると、係合溝と係止部との間に若干の隙間が生じ、この隙間は連結枠部と係止部との間を通じて照明器具の外方に連なるので、この隙間を通じてグローブや器具本体の内部に塵埃や虫等が侵入することがある。
【００１０】
このため、グローブの内面が汚れ易く、点灯中の照明器具の体裁が悪化したり、照度が低下することがあり、それ故、照明器具の頻繁な清掃作業を余儀なくされるといった不具合が生じてくる。
【００１１】
本発明は、このような事情にもとづいてなされたもので、グローブ内への塵埃等の侵入を確実に防止することができ、しかも、グローブの係止部がグローブホルダの外側に張り出すのを防止できる照明器具の提供を目的とする。
【００１２】
【課題を解決するための手段】
上記目的を達成するため、本発明の一つの形態に係る照明器具は、
光源を支持するとともに、枠状のグローブホルダを有する器具本体と；
この器具本体のグローブホルダに支持され、上記光源を覆い隠す合成樹脂製のグローブと；を備えており、
上記グローブホルダは、互いに向かい合う係合溝を有する一対の側枠部と、これら側枠部の端部間を連結する連結枠部と、を有し、上記グローブは、上記光源と向かい合う開口部と、この開口部の開口周縁に形成されて、上記側枠部の係合溝に挿入されるとともに、上記連結枠部と向かい合うフランジ状の係止部と、を有し、
上記グローブの係止部を上記グローブホルダの側枠部の端部の方向からこれら側枠部の係合溝に挿入し、この係止部を上記係合溝に引っ掛けた状態で上記側枠部の端部間を上記連結枠部を介して連結することにより、上記グローブを上記グローブホルダに取り付けるようにした照明器具を前提としている。
上記グローブホルダの側枠部は、上記係合溝を構成して上記グローブの係止部と向かい合うフランジ部を有し、上記グローブホルダの連結枠部は、上記側枠部の内面と上記フランジ部の先端面とで規定される角部に臨む先端部と、この先端部から延出されて上記グローブの挿入方向に沿う外側から上記グローブの係止部と向かい合うストッパと、を有するとともに、この連結枠部に、上記グローブの係止部に密接する弾性変形が可能なシール材を取り付け、
上記シール材は、上記グローブホルダの側枠部の内面と上記連結枠部の先端部との間に介在される第１の延長部と、上記フランジ部の先端面と上記連結枠部の先端部との間に介在される第２の延長部とを一体に有することを特徴としている。
【００１３】
このような構成において、側枠部の係合溝にグローブの係止部を挿入した状態で、これら側枠部の端部間を連結枠部を介して連結すると、シール材がグローブの係止部に隙間なく密接する。このシール材は、側枠部に対してグローブの挿入方向に沿う端部側に位置するので、たとえ係合溝と係止部との間に隙間が生じていても、この隙間を上記シール材を介して側枠部の端部の方向から塞ぐことができ、グローブの内部と外部との連通を遮断することができる。
【００１４】
しかも、シール材は弾性変形が可能であるから、グローブの膨張・収縮に伴う寸法変化分を予め見越して上記シール材の寸法を設定すれば、このグローブが膨張・収縮した場合の隙間寸法の変化に充分に対応することができ、上記係合溝と係止部との間の隙間を確実に塞ぐことができる。
【００１７】
さらに、上記構成によると、グローブホルダの連結枠部の先端部と側枠部の内面との間にシール材の第１の延長部が介在されているとともに、グローブホルダの連結枠部の先端部とフランジ部の先端面との間にシール材の第２の延長部が介在されている。そのため、側枠部と連結枠部とで規定されるグローブホルダの角部においては、グローブの係止部がグローブホルダに隙間なく連続する。
このため、連結枠部と側枠部との連続部分に、グローブホルダの係合溝とグローブの係止部との間の隙間に連なるような空隙が生じることはない。したがって、グローブ内への塵埃や虫等の侵入をより確実に防止することができ、グローブの内面が汚損し難くなる。
【００１９】
加えて、光源の点灯に伴う熱影響によりグローブが側枠部に沿って膨張した場合、このグローブの係止部がグローブホルダのストッパに当接する。このため、グローブホルダの連結枠部に対するグローブの位置がストッパによって規制され、グローブホルダの外側への係止部の張り出しを防止することができる。したがって、複数の照明器具がグローブの挿入方向に沿って一列に並べられているような場合でも、各照明器具のグローブの端部が隣り合う他の照明器具と干渉し合うことはない。
【００２０】
【発明の実施の形態】
以下本発明の実施の形態を、埋め込み型の照明器具に適用した図面にもとづいて説明する。
【００２１】
図１は、例えば客室の天井に複数の埋め込み形の照明器具１を一列に並べて設置した状態を示している。この照明器具１が埋め込まれる天井は、図２に示すような天井パネル２にて構成されており、この天井パネル２は、照明器具１を設置すべき部分に長孔状の埋込孔３を有している。
【００２２】
照明器具１は、器具本体５と、この器具本体５に取り付けられたグローブホルダ６と、このグローブホルダ６に支持されたグローブ７とで構成されている。
【００２３】
器具本体５は、鋼板を素材とする板金プレス加工部品にて構成されている。器具本体５は、下向きに開放された箱状をなしているとともに、上記埋込孔３の長軸方向に沿う細長い形状を有している。器具本体５は、天井パネル２の下方から埋込孔３に嵌め込まれており、この器具本体５の上部が天井裏に張り出している。
【００２４】
器具本体５は、埋込孔３の長手方向に延びるシャーシ８と、このシャーシ８の両端部に取り付けられた一対の端板９（一方のみを図示）とを備えている。
【００２５】
このシャーシ８は、天板１０と、この天板１０の長手方向に沿う両側縁部から下向きに延びる一対の側板１１ａ，１１ｂとを有している。側板１１ａ，１１ｂの埋込孔３に臨む下端縁部には、夫々外向きに直角に折り曲げられた水平な第１のシール受板１２ａ，１２ｂが形成されている。第１のシール受板１２ａ，１２ｂは、天井パネル２の下面に重ね合わされているとともに、上記埋込孔３の幅方向両側において、この埋込孔３の長手方向に沿って延びている。
【００２６】
第１のシール受板１２ａ，１２ｂの先端縁部には、夫々下向きに延びる支持板１３ａ，１３ｂが連続して形成されている。支持板１３ａ，１３ｂは、天井パネル２の下方において、埋込孔３の幅方向に互いに向かい合っている。
【００２７】
端板９は、シャーシ８の側板１１ａ，１１ｂの間に跨ってこのシャーシ８の両端部を閉塞している。端板９の下端部には、天井パネル２の下方に張り出す延長部１４が形成されている。延長部１４は、シャーシ８の支持板１３ａ，１３ｂの間に跨っている。そして、支持板１３ａ，１３ｂの下端縁部および延長部１４の下端縁部は、互いに協働して器具本体５の下端部に投光用の開口部１５を構成しており、この開口部１５は、器具本体５の長手方向に延びる細長い開口形状を有している。
【００２８】
また、端板９の内面には、第２のシール受板１６が取り付けられている。第２のシール受板１６は、埋込孔３の幅方向に沿って水平に延びている。この第２のシール受板１６の両端部は、第１のシール受板１２ａ，１２ｂに連なっており、これら第１および第２のシール受板１２ａ，１２ｂ，１６は、互いに協働して上記開口部１５の内側に四角形枠状のシール座面１７を構成している。このシール座面１７は、上記開口部１５と相似形をなしている。
【００２９】
シャーシ８の天板１０には、一対のランプソケット１８（図２および図６に一方のみを図示）と、点灯装置１９（図１に示す）とが支持されている。ランプソケット１８は、器具本体５の長手方向に離間して配置されており、これらランプソケット１８に光源としての直管形けい光ランプ２０が支持されている。このけい光ランプ２０は、上記シール座面１７の内側において、器具本体５の開口部１５に臨んでいる。
【００３０】
そして、このような構成の器具本体５は、埋込孔３の長手方向に一列に並べて配置されており、隣り合う器具本体５の間には、図１に示すような隙間２１が確保されている。この隙間２１は、器具本体５の端板９の間に位置されている。
【００３１】
図３および図４に示すように、上記グローブホルダ６は、第１および第２の側枠部２２ａ，２２ｂと、これら側枠部２２ａ，２２ｂの両端部間を連結する一対の連結枠部２３（一方のみを図示）とを備え、全体として器具本体５の開口部１５を取り囲むような四角形の枠状をなしている。
【００３２】
第１および第２の側枠部２２ａ，２２ｂは、例えばアルミニウム合金の型材にて構成され、上記けい光ランプ２０の管軸方向、つまり器具本体５の長手方向に沿って延びている。これら第１および第２の側枠部２２ａ，２２ｂは、器具本体５の幅方向に向かい合うとともに、互いに平行に配置されている。
【００３３】
第１および第２の側枠部２２ａ，２２ｂは、夫々側壁２４を有している。側壁２４は、天井パネル２に隣接した位置において、器具本体５の支持板１３ａ，１３ｂと平行に配置されており、これら支持板１３ａ，１３ｂを外側から覆い隠している。側壁２４は、天井パネル２から遠ざかるに従い支持板１３ａ，１３ｂに近づく方向に傾斜されており、この側壁２４の下部は、支持板１３ａ，１３ｂよりも下方に張り出している。
【００３４】
側壁２４の下端部には、第１のフランジ部２５が一体に形成されている。第１のフランジ部２５は、グローブホルダ６の内側に向けて水平に張り出しているとともに、側壁２４の全長に亘って形成されている。また、側壁２４の下部の内面には、第２のフランジ部２６が一体に形成されている。第２のフランジ部２６は、第１のフランジ部２５の上方において、この第１のフランジ部２５と平行に配置されている。
【００３５】
これら第１および第２のフランジ部２５，２６は、互いに協働して第１および第２の側枠部２２ａ，２２ｂの下端部に係合溝２７を構成している。係合溝２７は、第１および第２の側枠部２２ａ，２２ｂの全長に亘って延びているとともに、これら側枠枠２２ａ，２２ｂの長手方向に沿う両端部に開放されている。
【００３６】
第２のフランジ部２６の先端面２６ａは、側壁２４の両端部に達することなく途切れており、この先端面２６ａは、側壁２４の内面に対し直角に交わっている。この先端面２６ａと側壁２４の内面とで規定される角部は、係合溝２７の開放端に位置されている。
【００３７】
図７に示すように、第２のフランジ部２６は、支持板１３ａ，１３ｂよりも器具本体５の内側に張り出している。第２のフランジ部２６の先端部には、上向きに延びる起立部２８が形成されており、この起立部２８の上端部には、グローブホルダ６の内側に向けて水平に張り出す第１のシール支持部２９が形成されている。起立部２８および第１のシール支持部２９は、第１および第２の側枠部２２ａ，２２ｂの略全長に亘って形成されており、この第１のシール支持部２９は、上記器具本体５の第１のシール受板１２ａ，１２ｂと向かい合うようになっている。
【００３８】
連結枠部２３は、鋼板を素材とする板金プレス加工部品にて構成されている。図４に示すように、連結枠部２３は、第１および第２の側枠部２２ａ，２２ｂの両端部間に跨る帯状の基部３１を備えている。基部３１は、その長手方向に離間された第１および第２の端部３１ａ，３１ｂを有しており、これら第１および第２の端部３１ａ，３１ｂは、係合溝２７の開放端に位置されるようになっている。
【００３９】
基部３１の一側縁部には、上向きに延びる起立部３３が一体に形成されている。起立部３３は、第１および第２の端部３１ａ，３１ｂの間に位置されており、この起立部３３の両端部には、夫々連結片３４が一体に形成されている。連結片３４は、起立部３３と直交する方向に延びているとともに、器具本体５の幅方向に互いに向かい合っている。そして、これら連結片３４は、第１および第２の側枠部２２ａ，２２ｂの起立部２８に対し、器具本体５の幅方向に沿う外側から重ね合わされており、この連結片３４には、一対のねじ孔３５が形成されている。
【００４０】
側枠部２２ａ，２２ｂの起立部２８の両端部には、ねじ孔３５に連なる一対の通孔３６が形成されている。この通孔３６には、起立部２８の内側からねじ３８が挿通されている。ねじ３８は、通孔３６を貫通してねじ孔３５にねじ込まれており、このねじ込みにより、連結枠部２３が第１および第２の側枠部２２ａ，２２ｂの端部間に跨って固定されている。
【００４１】
図５に示すように、連結枠部２３を第１および第２の側枠部２２ａ，２２ｂに固定した状態では、その基部３１の第１および第２の端部３１ａ，３１ｂが係合溝２７の開放端に位置され、これら第１および第２の端部３１ａ，３１ｂの端面が側壁２４の内面と向かい合っている。
【００４２】
また、基部３１の第１および第２の端部３１ａ，３１ｂは、上記側壁２４の内面と第２のフランジ部２６の先端面２６ａとで規定された角部に位置されており、これら第１および第２の端部３１ａ，３１ｂが、図６に示すように第２のフランジ部２６の先端面２６ａに隣接されている。
【００４３】
図４ないし図６に示すように、基部３１の起立部３３の上端部には、基部３１と向かい合うように水平に張り出す第２のシール支持部４０が形成されている。第２のシール支持部４０は、器具本体５の開口部１５の内側において、第１および第２の側枠部２２ａ，２２ｂの第１のシール支持部２９に連なっているとともに、上記第２のシール受板１６と向かい合っている。
【００４４】
そのため、第１および第２のシール支持部２９，４０は、互いに協働して上記グローブホルダ６の内側に四角形枠状のシール支持面４１を構成しており、このシール支持面４１は、上記器具本体５のシール座面１７と向かい合うようになっている。
【００４５】
シール支持面４１には、角柱状をなす第１のシール材４２が接着されている。第１のシール材４２は、ゴム状弾性体あるいはスポンジのような弾性変形が可能な柔軟な材料にて構成されている。この第１のシール材４２は、上記器具本体５のシール座面１７に接離可能に接触し、器具本体５とグローブホルダ６との合わせ部がシールされている。
【００４６】
グローブホルダ６に支持されるグローブ７は、光透過性を有する合成樹脂材料にて構成されている。このグロ―ブ７は、図３に示すように、上向きに開放された細長い開口部４４を有する偏平な箱状をなしている。
【００４７】
このグローブ７の開口部４４の周縁には、フランジ状をなす一対の第１および第２の係止部４５，４６が形成されている。第１および第２の係止部４５，４６は、開口部４４の外周囲に向けて略水平に張り出している。第１の係止部４５は、開口部４４の長手方向に沿って延びているとともに、第２の係止部４５は、開口部４４の両端部において、第１の係止部４５と直交する方向に延びている。そして、第１および第２の係止部４５，４６は、開口部４４の周方向に連続して、この開口部４４を取り囲んでいる。
【００４８】
このグローブ７の第１の係止部４５は、グローブホルダ６の係合溝２７に挿入され、上記第１のフランジ部２５の上面に引っ掛かっている。この場合、図７に示すように、第１の係止部４５の厚み寸法Ｌ1は、係合溝２７への挿入を容易に行なえるように、この係合溝２７の幅寸法Ｌ2よりも小さく設定されている。そのため、第１の係止部４５と係合溝２７の上面および側面との間には、若干の隙間４７が形成されており、この隙間４７は、開口部４４を通じてグローブ７の内部に連なっている。
【００４９】
グローブ７は、第１の係止部４５をグローブホルダ６の長手方向に沿う一端部の方向から側枠部２２ａ，２２ｂの係合溝２７に挿入することでグローブホルダ６に支持されており、このグローブ７の取り付け作業は、以下の手順により行われる。
【００５０】
すなわち、グローブ７をグローブホルダ６に組み付ける以前の段階では、一方の連結枠部２３は、第１および第２の側枠部２２ａ，２２ｂに取り付けられておらず、これら側枠部２２ａ，２２ｂは、他方の連結枠部２３を介して互いに連結されている。そのため、側枠部２２ａ，２２ｂの係合溝２７は、第１および第２の側枠部２２ａ，２２ｂの一端部に開放されている。
【００５１】
この状態で、グローブ７の第１の係止部４５を第１および第２の側枠部２２ａ，２２ｂの一端部の方向から係合溝２７に挿入し、この第１の係止部４５を第１のフランジ部２５の上面に引っ掛ける。このグローブ７の挿入作業は、グローブ７の挿入先端に位置する第２の係止部４６が他方の連結枠部２３の下方に達するまで行われる。
【００５２】
次に、第１および第２の側枠部２２ａ，２２ｂの一端部にねじ３８を介して一方の連結枠部２３を固定し、この一方の連結枠部２３を介して第１および第２の側枠部２２ａ，２２ｂの一端部間を連結する。
【００５３】
このことにより、グローブホルダ６が四角形状に枠組みされて、一方の連結枠部２３の下方にグローブ７の挿入後端の第２の係止部４６が位置され、グローブホルダ６に対するグローブ７の組み込みが完了する。そして、このグローブ７の組み込みが完了した時点においては、第２の係止部４６の上面と連結枠部２３の基部３１の下面との間には、図５や図６に示すような若干の隙間４８が生じており、この隙間４８は、上記第１の係止部４５の上面と第２のフランジ部２６の下面との間の隙間４７に連なっている。
【００５４】
図４ないし図６に示すように、連結枠部２３の基部３１の下面には、第２のシール材５０が接着等の手段により固着されている。第２のシール材５０は、ゴム状弾性体あるいはスポンジのような弾性変形が可能な柔軟な材料にて構成されている。この第２のシール材５０は、連結枠部２３の全長に亘って延びる帯状をなしている。そして、第２のシール材５０の自由状態での肉厚は、上記グローブ７の膨張・収縮を考慮して、上記連結枠部２３と第２の係止部４６との間の隙間４８の寸法よりも大きく設定されている。
【００５５】
このため、第２のシール材５０は、基部３１と第２の係止部４６との間に圧縮状態で介在されて、この第２の係止部４６の上面に密接されており、これら基部３１と第２の係止部４６との間の隙間４８を閉じている。
【００５６】
第２のシール材５０は、第１および第２の延長部５１，５２を一体に有している。第１の延長部５１は、第２のシール材５０の両端部から基部３１の上面に向けて折り返されている。この第１の延長部５１は、連結枠部２３の第１および第２の端部３１ａ，３１ｂと側枠部２２ａ，２２ｂの側壁２４との間に圧縮状態で介在されており、この基部３１の端部と側壁２４との間を隙間なく埋めている。
【００５７】
第２の延長部５２は、基部３１の上面に沿って互いに近接する方向に延びている。この第２の延長部５２は、上記第２のフランジ部２６の先端面２６ａと側壁２４の内面とで規定される角部に位置されている。そして、図６に最も良く示されるように、第２の延長部５２の側面は、第２のフランジ部２６の先端面２６ａに密接されて、この第２のフランジ部２６と連結枠部２３の第１および第２の端部３１ａ，３１ｂとの間を隙間なく埋めている。
【００５８】
そのため、グローブ７の第１の係止部４５と係合溝２７との間の隙間４７は、側枠部２２ａ，２２ｂの長手方向に沿う両端部において、第２のシール材５０を介して塞がれている。
【００５９】
図４ないし図６に示すように、連結枠部２３の基部３１は、一対のストッパ５５ａ，５５ｂを有している。ストッパ５５ａ，５５ｂは、基部３１の第１および第２の端部３１ａ，３１ｂの外側縁部から下向きに延出されている。そして、これらストッパ５５ａ，５５ｂは、上記グローブ７の第２の係止部４６に対しグローブ７の挿入方向に沿う外側から向かい合っている。
【００６０】
図７に示すように、グローブホルダ６は、一対のヒンジ金具５８（一方のみを図示）を介して器具本体５に開閉可能に支持されている。ヒンジ金具５８は、器具本体５の長手方向に互いに離間して配置されている。このヒンジ金具５８は、第１および第２のブラケット５９，６０と、これらブラケット５９，６０に跨るヒンジ軸６１とを備えている。
【００６１】
第１のブラケット５９は、第１の側枠部２２ａの第２のフランジ部２６にねじ６２を介して固定されている。第２のブラケット６０は、器具本体５の一方の支持板１３ａにねじ６３を介して固定されている。第１および第２のブラケット５９，６０は、夫々カールされた軸受部６４を有し、この軸受部６４に上記ヒンジ軸６１が軸回り方向に回動可能に挿通されている。ヒンジ軸６１は、器具本体５の長手方向に沿って配置されており、このヒンジ軸６１を介して第１のブラケット５９と第２のブラケット６０とが回動可能に連結されている。
【００６２】
そのため、グローブホルダ６と一体化されたグローブ７は、上記ヒンジ軸６１を支点として、上記器具本体５の開口部１５やけい光ランプ２０を下方から覆い隠す閉じ位置と、器具本体５の開口部１５から離脱されて上記けい光ランプ２０を露出させる開き位置とに亘って所要の角度回動可能に器具本体５に支持されている。
【００６３】
そして、グローブ７を閉じ位置に回動させた状態では、第１のシール材４２が器具本体５のシール座面１７に隙間なく接触し、器具本体５とグローブホルダ６との合わせ部がシールされている。
【００６４】
また、図７に示すように、第２の側枠部２２ｂの第２のフランジ部２６には、グローブ７を上記閉じ位置に保持するラッチ金具６７が支持されている。ラッチ金具６７は、第２のフランジ部２６の上面にねじ６８を介して支持されたブラケット６９と、このブラケット６９にピボット軸７０を介して回動可能に支持されたラッチ片７１とを備えている。
【００６５】
ラッチ片７１は、器具本体５の支持板１３ｂを挟んで向かい合う指掛け部７２と爪部７３とを有している。指掛け部７２は、第２の側枠部２２ｂの側壁２４に形成した切り欠き７４に臨んでいる。爪部７３は、上記支持板１３ｂに開けた係合孔７５に取り外し可能に係止されており、この係止により、グローブ７が閉じ位置に保持されている。
【００６６】
そして、ラッチ片７１は、図示しないスプリングにより常時爪部７３が係合孔７５に係止する方向に付勢されており、この状態においては、指掛け部７２が側壁２４の切り欠き７４に臨んでいる。
【００６７】
このような構成の照明器具１において、けい光ランプ２０を交換したり、あるいはグローブ７の内部を清掃するに当っては、図９に矢印で示すように、ラッチ片７１の指掛け部７２を指先で押圧する。この押圧により、ラッチ片７１の爪部７３が支持板１３ｂの係合孔７５から外れ、器具本体５に対するグローブホルダ６の保持が解除される。
【００６８】
そのため、図２や図８に示すように、グローブホルダ６がヒンジ軸６１を支点に下向きに回動し、グローブ７が閉じ位置から開き位置に向けて回動される。この回動により、グローブホルダ６の第１のシール材４２が器具本体５のシール座面１７から離脱し、開口部１５が開放されるとともに、この開口部１５を介してけい光ランプ２０が器具本体５の下方に向けて露出される。よって、この開口部１５を通じてけい光ランプ２０の交換作業を行なうことができる。
【００６９】
また、グローブ７にしても、ヒンジ軸６１を支点に下向きに回動されるので、このグローブ７の開口部４４が器具本体５から遠ざかり、この器具本体５の下方に向けて開放される。そのため、開口部４４を通じてグローブ７の内面が外方に露出され、このグローブ７の内面の清掃作業を行なうことができる。
【００７０】
ところで、上記構成の照明器具１にあっては、グローブホルダ６の長手方向の両端部に位置される連結枠部２３に、弾性変形が可能な第２のシール材５０を接着し、この第２のシール材５０をグローブ７の第２の係止部４６の上面に密着させたので、この第２のシール材５０を用いて連結枠部２３と第２の係止部４６との間の隙間４８を塞ぐことができる。
【００７１】
そのため、グローブ７の第１の係止部４５と側枠部２２ａ，２２ｂの係合溝２７との間に若干の隙間４７が存在し、この隙間４７が上記隙間４８に連なっていても、この隙間４７をグローブホルダ６の長手方向に沿う両端部で閉じることができ、この隙間４７が照明器具１の外方に連なるのを防止することができる。
【００７２】
特に上記第２のシール材５０は、連結枠部２３の第１および第２の端部３１ａ，３１ｂと側枠部２２ａ，２２ｂの側壁２４との間に圧縮状態で介在された第１の延長部５１と、基部３１の上面に延出されて第２のフランジ部２６の先端面２６ａに密接される第２の延長部５２とを一体に備えているので、連結枠部２３の第１および第２の端部３１ａ，３１ｂと側枠部２２ａ，２２ｂとの間を第２のシール材５０を用いて隙間なく埋めることができる。
【００７３】
したがって、グローブ７の第１の係止部４５と係合溝２７との間に生じた隙間４７は、第１および第２の側枠部２２ａ，２２ｂの長手方向に沿う両端部において確実に閉じられることになり、グローブ７の内部と外部との連通を遮断することができる。
【００７４】
この結果、グローブ７内や器具本体６内への塵埃や虫等の侵入をより確実に防止することができ、その分、グローブ７の内面が汚れ難くなって、照明器具１の保守に要する手間を軽減することができる。
【００７５】
また、上記構成によると、グローブホルダ６の連結枠部２３にグローブ７の挿入方向に沿う外側からこのグローブ７の第２の係止部４６と向かい合うストッパ５５ａ，５５ｂを形成したので、グローブホルダ６に対するグローブ７の第２の係止部４６の位置が固定的に定まる。
【００７６】
このため、けい光ランプ２０の点灯中に、このけい光ランプ２０からの熱影響を受けてグローブ７が長手方向に膨張した場合には、グローブ７の第２の係止部４６が上記ストッパ５５ａ，５５ｂに突き当たり、連結枠部２３の外側への第２の係止部４６の突出が阻止される。
【００７７】
したがって、複数の照明器具１がグローブ７の挿入方向に沿って一列に並べられていても、隣り合う照明器具１の間に隙間２１が存在することと相まって、各照明器具１のグローブ７の端部が隣り合う他の照明器具１と干渉し合うことはない。よって、グローブ７を閉じ位置から開き位置に向けて回動させた場合に、グローブ７の端部が隣接する他の照明器具１に引っ掛かることはなく、このグローブ７の損傷を未然に防止することができる。
【００７８】
なお、本発明に係る照明器具は、天井に埋め込んで使用するものに特定されず、例えば天井から吊り下げて使用したり、室内の壁面に埋め込んで使用しても良い。
【００７９】
また、光源もけい光ランプに限らず、その他の放電灯や白熱電球を用いても良いとともに、グローブの形状についても上記実施の形態に特定されないことは勿論である。
【００８０】
【発明の効果】
以上詳述した本発明によれば、グローブや器具本体内への塵埃や虫等の侵入を確実に防止することができる。このため、グローブの内面が汚れ難くなり、その分、頻繁な清掃作業が不要となって、照明器具の保守に要する手間を軽減できる。それとともに、光源の点灯に伴う熱影響によりグローブが膨張したとしても、グローブホルダの連結枠部に対するグローブの位置がストッパによって規制され、グローブホルダの外側へのグローブの係止部の張り出しを防止できるといった利点がある。
【図面の簡単な説明】
【図１】本発明の実施の形態に係る照明器具を一列に並べて設置した状態を示す斜視図。
【図２】器具本体を天井パネルに埋め込んだ状態を示す照明器具の正面図。
【図３】グローブを器具本体のグローブホルダの側枠部の間に挿入する状態を示す斜視図。
【図４】グローブホルダの側枠部と連結枠部との位置関係を分解して示す斜視図。
【図５】連結枠部と側枠部との間を第２のシール部材で隙間なく埋めた状態を示す照明器具の正面図。
【図６】図５の６Ｆ−６Ｆ線に沿う断面図。
【図７】器具本体とグローブホルダとの連結構造を示す照明器具の断面図。
【図８】グローブホルダがヒンジ軸を中心に開き位置に向けて回動された状態を示す断面図。
【図９】グローブホルダと器具本体との係合が解除された状態を示す断面図。
【符号の説明】
１…照明器具、５…器具本体、６…グローブホルダ、７…グローブ、２０…光源（けい光ランプ）、２２ａ，２２ｂ…側枠部、２３…連結枠部、２６…フランジ部（第２のフランジ部）、３１ａ，３１ｂ…先端部（第１および第２の端部）、４４…開口部、４５，４６…係止部（第１および第２の係止部）、５０…シール材（第２のシール材）、５１…第１の延長部、５２…第２の延長部、５５ａ，５５ｂ…ストッパ。
【図１】
0004078738.tif 000002
【図２】
0004078738.tif 000003
【図３】
0004078738.tif 000004
【図４】
0004078738.tif 000005
【図５】
0004078738.tif 000006
【図６】
0004078738.tif 000007
【図７】
0004078738.tif 000008
【図８】
0004078738.tif 000009
【図９】
0004078738.tif 000010